(57)【要約】【課題】便座本体の温度の測定精度が高く、便座本体の温度制御を的確に行うことができる暖房便座を提供する。【解決手段】便座本体２の外殻は、その上面側の座表体８と下面側の座裏体９とが組み合わされることにより構成されている。座面部８ａの裏面には、ヒータ線７からの熱を該座面部８ａに均一に伝えるために、アルミや銅などの熱伝導率の大きい金属の箔等よりなる均熱体１０が設けられている。ヒータ線７は、座面部８ａの裏面のほぼ全域にわたって延設され、一部では蛇行状に引き回されている。均熱体１０に開口部１０ａが設けられ、座面部８ａの裏面が露呈している。この座面部８ａの裏面に設けられた凹所１３内にサーミスタ５が配置され、断熱テープ１４によって座面部８ａの裏面に該サーミスタ５が取り付けられている。【選択図】図３
2011072378.tif 000002
【特許請求の範囲】
【請求項１】
内部が中空部となっている便座本体と、
該中空部内の上面に設けられているヒータ線及び温度センサと
を有し、該温度センサはテープによって該中空部上面に取り付けられている暖房便座において、
該テープが断熱テープであることを特徴とする暖房便座。
【請求項２】
請求項１において、該温度センサは、該便座本体の上面の温度分布の平均温度部の裏面に配置されていることを特徴とする暖房便座。
【請求項３】
請求項１又は２において、前記中空部内の上面にシート状の均熱体が付着され、該均熱体の下面に前記ヒータ線が取り付けられており、
該均熱体に開口が設けられ、前記温度センサ及び断熱テープは、該開口内に配置され、該均熱体と非接触となっていることを特徴とする暖房便座。
【発明の詳細な説明】
【技術分野】
【０００１】
本発明は、便器に設置される暖房便座に係り、特に温度センサの設置構造を改良した暖房便座に関する。
【背景技術】
【０００２】
暖房便座は、ヒータ線によって座面を加温可能としたものである。ヒータ線の熱を座面に均一に伝達させるために、座面の裏面にアルミ箔等の均熱体を設けることが行われている。
【０００３】
また、便座本体の温度をサーミスタ等の温度センサによって検知し、ヒータ線への通電を制御する。特公平４−３９６６の第６図には、便器の裏面に設けた凹部にサーミスタを配置し、粘着テープによって取り付けることが記載されている。
【先行技術文献】
【特許文献】
【０００４】
【特許文献１】特公平４−３９６６号公報
【発明の概要】
【発明が解決しようとする課題】
【０００５】
本発明は、便座本体の温度の測定精度が高く、便座本体の温度制御を的確に行うことができる暖房便座を提供することを目的とする。
【課題を解決するための手段】
【０００６】
請求項１の暖房便座は、内部が中空部となっている便座本体と、該中空部内の上面に設けられているヒータ線及び温度センサとを有し、該温度センサはテープによって該中空部上面に取り付けられている暖房便座において、該テープが断熱テープであることを特徴とするものである。
【０００７】
請求項２の暖房便座は、請求項１において、該温度センサは、該便座本体の上面の温度分布の平均温度部の裏面に配置されていることを特徴とするものである。
【０００８】
請求項３の暖房便座は、請求項１又は２において、前記中空部内の上面にシート状の均熱体が付着され、該均熱体の下面に前記ヒータ線が取り付けられており、該均熱体に開口が設けられ、前記温度センサ及び断熱テープは、該開口内に配置され、該均熱体と非接触となっていることを特徴とするものである。
【発明の効果】
【０００９】
本発明の暖房便座にあっては、温度センサが中空部の上面に対し断熱テープによって取り付けられているので、温度センサやその周囲からの熱放散が抑制され、便座本体の温度が高精度にて測定される。これにより、便座本体の温度制御を的確に行うことが可能となる。
【００１０】
温度センサを便座本体の上面の温度分布の平均温度部の裏面に配置することにより、便座本体の平均温度を検知することができる。
【００１１】
温度センサ及び断熱テープを均熱体の開口内に配置し、均熱体と非接触とすることにより、均熱体を介してヒータの熱が温度センサに伝播することが防止され、温度の測定精度が向上する。
【図面の簡単な説明】
【００１２】
【図１】実施の形態に係る暖房便座の座表体の裏面図である。
【図２】（ａ）図は実施の形態に係る暖房便座の裏面側の斜視図、（ｂ）図は（ａ）図のＢ−Ｂ線断面図である。
【図３】（ａ）図は温度センサ設置部の断面図、（ｂ）図は（ａ）図のＢ−Ｂ線断面図である。
【図４】（ａ）図は別の実施の形態に係る暖房便座の温度センサ設置部の断面図、（ｂ）図は（ａ）図のＢ−Ｂ線断面図である。
【図５】平均温度部の説明図である。
【発明を実施するための形態】
【００１３】
以下、第１図〜第３図及び第５図を参照して第１の実施の形態について説明する。
【００１４】
この実施の形態に係る暖房便座１は、洋風便器のリム部（便鉢の上縁部）の上面に倒伏配置可能なリング形（略Ｃ字形とされることもある。）の便座本体２と、該便座本体２の左右の後部からそれぞれ後方（便座本体２が倒伏姿勢となっているときの後方）に延出する１対の支脚部３，３とを有している。該支脚部３，３は、それぞれ、ヒンジ軸（図示略）を介して便座ボックスやロータンクカバー（図示略）などに対し上下回動可能に取り付けられている。
【００１５】
便座本体２は、第２図（ｂ）に示すように、内部が中空部６となっている。この中空部６内にヒータ線７と、温度センサとしてのサーミスタ５が配設されている。この便座本体２の外殻は、その上面側の座表体８と下面側の座裏体９とが組み合わされることにより構成されている。この座表体８は、便器使用者が着座する座面部（便座本体２の上面部）８ａと、該便座本体２の内周側及び外周側の各側周面部８ｂ，８ｃとを有する無底中空状のものとなっており、座裏体９は、この座表体８の底部を塞ぐ底蓋状のものとなっている。座裏体９の下面には、洋風便器１のリム部の上面に当接する複数個の脚部９ａが設けられている。
【００１６】
なお、第２図（ｂ）に示すように、座表体８の各側周面部８ｂ，８ｃの下端部には、各々の中空部６側の角縁部を切り欠く如くして段差部８ｅが形成されており、座裏体９は、その内周側及び外周側の両縁部がそれぞれこの段差部８ｅに係合している。
【００１７】
座面部８ａの裏面には、ヒータ線７からの熱を該座面部８ａに均一に伝えるために、アルミや銅などの熱伝導率の大きい金属の箔等よりなる均熱体１０が設けられている。この均熱体１０は、該座面部８ａの裏側のほぼ全面にわたって設けられており、その外縁部は、各側周面部８ｂ，８ｃの裏面にまで達している。なお、図面を明瞭とするために、第１図では、この均熱体１０の図示は省略されている。
【００１８】
ヒータ線７は、ニクロム線等よりなるヒータ素線と、該ヒータ素線の外周囲を被覆する塩化ビニル、シリコーンゴム、熱可塑性エラストマー等の被覆体とからなる。このヒータ線７は、均熱体１０を介して座面部８ａの裏面に沿って延設され、接着剤（図示略）等によって接着されている。ヒータ線７は、座面部８ａの裏面のほぼ全域にわたって延設され、一部では蛇行状に引き回されている。この実施の形態では、ヒータ線７は往線と戻線とを引き揃えて１条にまとめたものとなっているが、これに限定されない。ヒータ線７は通電ハーネス１１及び温感ヒューズ（図示略）を介して通電が行われる。このハーネス１１は支脚部３の孔４及びヒンジ軸を通って便座ボックス又はロータンクカバー等の内部に延設されている。なお、前記サーミスタ５に接続されたハーネス１２も支脚部３の孔４及びヒンジ軸を通って便座ボックス又はロータンクカバー等の内部に延設されている。
【００１９】
この便座本体２の温度を検知するための温度センサとしてのサーミスタ５は、座面部８ａの裏面のうち、平均温度部に設けられている。サーミスタ５はヒータ線７と重ならない位置に設けられるので、第１図のＡ，Ｂのようにヒータ線７同士の間隔があいている箇所に設けられる。
【００２０】
第３図に示すように、サーミスタ５を設ける箇所では、均熱体１０に開口部１０ａが設けられ、座面部８ａの裏面が露呈している。この座面部８ａの裏面に設けられた凹所１３内にサーミスタ５が配置され、断熱テープ１４によって座面部８ａの裏面に該サーミスタ５が取り付けられている。このサーミスタ５及び断熱テープ１４は開口部１０ａ内にのみ配置され、均熱体１０とは非接触となっている。
【００２１】
断熱テープ１４は、発泡ポリエチレン、発泡ポリウレタンなどの発泡合成樹脂よりなる基材テープと、該基材テープに付着された粘着剤とを備えている。
【００２２】
なお、ここで平均温度部について第５図を参照して説明する。
【００２３】
前記第１図のように、座面部８ａの裏面の全域にヒータ線７が引き回されているが、ヒータ線７同士の間には間隔があいていると共に、合成樹脂製の便座本体２の樹脂密度分布などにより、便座本体２の上面には温度分布が存在する。第５図は温度分布の一例を示すものであり、（ａ）図は便座本体２の平面図、（ｂ）図は（ａ）図のＢ１（前部中央）からＢ２（後部中央）までの線分Ｂ上の温度分布図である。なお、この線分Ｂは便座本体２の径方向（内周端と外周端とを結ぶ方向）の中間を通る線である。（ｃ）図は便座前後方向の中間付近Ｃにおける内周縁Ｃ１から外周縁Ｃ２までの温度分布図である。この温度分布は、赤外線サーモグラフィーによって測定される。
【００２４】
便座１を陶器製の便器上に倒伏させ、人が着座していない状態でヒータ線７に通電し、温度分布が安定した状態となった後、便座本体上面の温度を測定すると、第５図（ｂ），（ｃ）のように分布が存在する。
【００２５】
便座１の内周縁及び外周縁は、側周面部８ｂ，８ｃからの放熱量が多く、中央側よりも温度が低くなるのは止むを得ないので、内周縁から５ｍｍ以内及び外周縁から５ｍｍ以内の領域は平均温度部の特定の際には除外し、内周縁から５ｍｍ〜外周縁から５ｍｍの範囲ｆにおける便座本体上面領域の温度を検出する。例えば、便座本体上面の５ｍｍ間隔の正方枡目状の格子点の全点について温度を検出し、これを平均することにより平均温度が求まる。この平均温度に対し±０．５℃の箇所を平均温度部とする。サーミスタ５は、この平均温度部の裏面に設置される。
【００２６】
このように構成された暖房便座１にあっては、サーミスタ５が座面部８ａの裏面に対し断熱テープ１４によって取り付けられているので、サーミスタ５やその周囲の座面部からの熱放散が抑制され、便座本体２の温度が高精度にて測定される。これにより、便座本体２の温度制御を的確に行うことが可能となる。
【００２７】
この実施の形態では、サーミスタ５を便座本体の上面の温度分布の平均温度部の裏面に配置しているので、便座本体２の平均温度を容易に求めることができる。
【００２８】
また、この実施の形態では、サーミスタ５及び断熱テープ１４を均熱体１０の開口１０ａ内に配置し、均熱体１０と非接触とすることにより、均熱体１０を介してヒータ線７の熱がサーミスタ５に伝播することが防止され、温度の測定精度が向上する。
【００２９】
［別の実施の形態］
上記実施の形態では、断熱テープ１４が均熱体１０に接触しないように構成しているが、第４図のように、断熱テープ１４が均熱体１０に付着するように構成してもよい。第４図のその他の構成は第３図と同様である。
【符号の説明】
【００３０】
１  暖房便座
２  便座本体
３  支脚部
５  サーミスタ
６  中空部
７  ヒータ線
８  座表体
８ａ  座面部
９  座裏体
１０  均熱体
１１，１２  通電ハーネス
１３  凹所
１４  断熱テープ
【図１】
2011072378.tif 000003
【図２】
2011072378.tif 000004
【図３】
2011072378.tif 000005
【図４】
2011072378.tif 000006
【図５】
2011072378.tif 000007